(57)【特許請求の範囲】
【請求項１】
天板（43）が取り付けられたケーシング（40）内に圧縮機（21）と、熱交換器（23）と、送風ファン（15）と、該送風ファン（15）を回転させる電動機（17）を支持する電動機台（90）とが配置された空調機の室外機であって、
上記天板（43）は、上記ケーシング（40）の外周において支持されて該ケーシング（40）の上部を覆う一方、
上記電動機台（90）は、上記ケーシング（40）の下部から上記天板（43）に向かって上下方向に延び、且つ電動機（17）が取り付けられる台本体（91）と、該台本体（91）の上端から上記天板（43）に沿って上記天板（43）の一側端に延びて上記熱交換器（23）の上端部を覆うように位置すると共に、上記天板（43）との間で第１隙間（101）を形成し、且つ上記熱交換器（23）の上端部との間で第２隙間（103）を形成する上端部（92）を備え、
上記第１隙間（101）には、上記天板（43）の一側端側のみに弾性部材（100）が設けられ、
上記天板（43）と上端部（92）とは、上記天板（43）の一側端側に上端部（92）と弾性部材（100）と天板（43）とが積層された中実積層部（104）と、上記天板（43）の一側端側とは反対側に上端部（92）と第１隙間（101）の一部と天板（43）とが積層された中空積層部（105）とを構成し、
上記弾性部材（100）は、上記第１隙間（101）において、
上記天板（43）の一側端側の一端部が、上記熱交換器（23）における上記天板（43）の一側端側の一端部よりも上記天板（43）の一側端側に位置し、
上記天板（43）の一側端側とは反対側の他端部が、上記熱交換器（23）における上記天板（43）の一側端側とは反対側の他端部よりも上記天板（43）の一側端側に位置するように設けられている
ことを特徴とする空調機の室外機。
【請求項２】
請求項１において、
上記上端部（92）は、上記天板（43）の一側端側又はケーシング（40）と締結される締結部（98）を備え、
上記弾性部材（100）は、上記第１隙間（101）における上記締結部（98）側のみに設けられている
ことを特徴とする空調機の室外機。
【請求項３】
請求項１又は２において、
上記熱交換器（23）は、アルミニウム材料で形成され、
上記第２隙間（103）は、上記熱交換器（23）と上端部（92）とを離間させて電気的に非接触となるように形成されている
ことを特徴とする空調機の室外機。
【発明の詳細な説明】
【技術分野】
【０００１】
本発明は、空調機の室外機に関し、特に、振動防止構造に係るものである。
【背景技術】
【０００２】
従来より、室外機を備えた空調機が知られている（特許文献１参照）。この空調機の室外機では、室外ユニットの内部に圧縮機、熱交換器、送風機、送風機用の電動機（モータ）およびモータ支えが収容されている。
【０００３】
また、上記室外ユニットでは、圧縮機などの振動によって熱交換器と天板との間の接触に起因する接触音（ビビリ音）が生じる。このため、上記室外ユニットでは、熱交換器と天板との間や、モータ支えのフランジ部と天板との間に弾性材を介在させることで、天板と熱交換器、又は天板とフランジ部との接触に起因する接触音（ビビリ音）の発生を防止していた。
【０００４】
ところで、上記室外ユニットでは、送風機用の電動機が回転することで、該送風機および送風機用の電動機に起因する振動が発生するが、モータ支えおよびフランジ部を熱交換器に対して取付固定しているため、この振動に起因して天板が振動することはなかった。
【先行技術文献】
【特許文献】
【０００５】
【特許文献１】実開平３−１０７６３２号公報
【発明の概要】
【発明が解決しようとする課題】
【０００６】
ここで、熱交換器とモータ支えが異種金属で、且つ熱交換器がモータ支えよりもイオン化傾向の高い部材で構成された場合、両者を電気的に接触させると熱交換器にガルバニック腐食（電食）が発生してしまうため、熱交換器とモータ支えを離間させるなど、電気的に絶縁させて配置する必要がある。
【０００７】
しかしながら、モータ支えを熱交換器に固定しなければ、電動機に起因する振動が弾性材を介して天板に伝わってしまう。つまり、従来の室外機では、天板とフランジ部との接触音（ビビリ音）の発生を抑えつつ、天板が振動するのを抑えることができないという問題があった。
【０００８】
本発明は、斯かる点に鑑みてなされたものであり、室外機において、天板と電動機台との接触に起因する接触音（ビビリ音）の発生を防止しつつ、天板が振動するのを防止することを目的とする。
【課題を解決するための手段】
【０００９】
第１の発明は、天板（43）が取り付けられたケーシング（40）内に圧縮機（21）と、熱交換器（23）と、送風ファン（15）と、該送風ファン（15）を回転させる電動機（17）を支持する電動機台（90）とが配置された空調機の室外機であって、上記天板（43）は、上記ケーシング（40）の外周において支持されて該ケーシング（40）の上部を覆う一方、上記電動機台（90）は、上記ケーシング（40）の下部から上記天板（43）に向かって上下方向に延び、且つ電動機（17）が取り付けられる台本体（91）と、該台本体（91）の上端から上記天板（43）に沿って上記天板（43）の一側端に延びて上記熱交換器（23）の上端部を覆うように位置すると共に、上記天板（43）との間で第１隙間（101）を形成し、且つ上記熱交換器（23）の上端部との間で第２隙間（103）を形成する上端部（92）を備え、上記第１隙間（101）には、上記天板（43）の一側端側のみに弾性部材（100）が設けられ、上記天板（43）と上端部（92）とは、上記天板（43）の一側端側に上端部（92）と弾性部材（100）と天板（43）とが積層された中実積層部（104）と、上記天板（43）の一側端側とは反対側に上端部（92）と第１隙間（101）の一部と天板（43）とが積層された中空積層部（105）とを構成し、上記弾性部材（100）は、上記第１隙間（101）において、上記天板（43）の一側端側の一端部が、上記熱交換器（23）における上記天板（43）の一側端側の一端部よりも上記天板（43）の一側端側に位置し、上記天板（43）の一側端側とは反対側の他端部が、上記熱交換器（23）における上記天板（43）の一側端側とは反対側の他端部よりも上記天板（43）の一側端側に位置するように設けられている。
【００１０】
上記第１の発明では、圧縮機（21）が駆動すると、圧縮機（21）の駆動による振動がケーシング（40）全体に伝わる。このとき、上端部（92）と天板（43）との間には、天板（43）の一端側に弾性部材（100）が設けられているから、上端部（92）と天板（43）とが直接的に接触することはない。したがって、圧縮機（21）に起因する振動が発生しても、上端部（92）と天板（43）とが直接接触することで発生する接触音（ビビリ音）を抑えることができる。
【００１１】
また、電動機（17）が駆動すると送風ファン（15）が回転する。電動機（17）の駆動に起因する振動は、電動機台（90）に伝わるが、熱交換器（23）の上端部と上端部（92）との間に第２隙間（103）が形成されているため、熱交換器（23）には伝搬しない。一方、電動機（17）の駆動に起因する振動は、電動機台（90）に伝わり、弾性部材（100）を介して天板（43）まで伝わる。
【００１２】
具体的に、天板（43）の一端側には、上端部（92）と弾性部材（100）と天板（43）とで中実積層部（104）が構成されている。つまり、上端部（92）と天板（43）との間のうち、振動しにくい天板（43）の一端側に弾性部材（100）が設けられている。電動機（17）の振動は、弾性部材（100）を介して天板（43）の一端側に伝わるため、天板（43）の振動は抑えられる。
【００１３】
また、振動しやすい天板（43）の一端側の反対側には、上端部（92）と第１隙間（101）の一部と天板（43）とで中空積層部（105）が構成されている。つまり、上端部（92）と天板（43）との間のうち、振動しやすい天板（43）の一端側の反対側に第１隙間（101）の一部が形成されている。このため、電動機（17）の振動が天板（43）へ伝わらないため、天板（43）が振動するのを抑えることができる。
【００１４】
第２の発明は、上記第１の発明において、上記上端部（92）は、上記天板（43）の一側端側又はケーシング（40）と締結される締結部（98）を備え、上記弾性部材（100）は、上記第１隙間（101）における上記締結部（98）側のみに設けられている。
【００１５】
上記第２の発明では、電動機台（90）の上端部（92）は、天板（43）の一側端側又はケーシング（40）と締結部（98）によって締結されている。つまり、締結部（98）が上端部（92）と天板（43）の一側端側又はケーシング（40）とを拘束している。このため、締結部（98）では、電動機（17）の振動が伝わりやすくなる。そして、第１隙間（101）における締結部（98）側に弾性部材（100）を設けている。したがって、上端部（92）と天板（43）との間のうち、振動しにくい天板（43）の一端側に締結部（98）による拘束点が形成されることになる。したがって、電動機（17）の振動は、上端部（92）から、締結部（98）の拘束点を介して天板（43）の一端側に伝わるため、天板（43）の振動は抑えられる。
【００１６】
第３の発明は、上記第１又は第２の発明において、上記熱交換器（23）は、アルミニウム材料で形成され、上記第２隙間（103）は、上記熱交換器（23）と上端部（92）とを離間させて電気的に非接触となるように形成されている。
【００１７】
上記第３の発明では、アルミニウム材料で形成された熱交換器（23）と、例えば鋼板からなる上端部（92）とが電気的に接触して固定されると、イオン化傾向の高い熱交換器（23）がガルバニック腐食（電食）する可能性があるが、第２隙間（103）によって熱交換器（23）と上端部（92）とが電気的に非接触となっている。このため、熱交換器（23）がガルバニック腐食（電食）することはない。
【００１８】
一方で、電動機（17）に起因する振動は、弾性部材（100）を介して天板（43）の一端側に伝わるため、天板（43）の振動を抑えることができる。
【発明の効果】
【００１９】
上記第１の発明によれば、振動しやすい天板（43）の一端側の反対側に上端部（92）と第１隙間（101）の一部と天板（43）からなる中空積層部（105）を形成し、振動しにくい天板（43）の一端側に上端部（92）と弾性部材（100）と天板（43）からなる中実積層部（104）を形成したため、電動機（17）に起因する振動を弾性部材（100）を介して天板（43）の一端側のみに伝えることができる。このため、電動機（17）の振動によって天板（43）が振動するのを確実に抑えることができる。
【００２０】
また、上端部（92）と天板（43）との間に弾性部材（100）を設けたため、上端部（92）と天板（43）とが直接接触するのを防止することができる。このため、圧縮機（21）などが振動しても、上端部（92）と天板（43）とが接触することで発生する接触音（ビビリ音）を抑えることができる。
【００２１】
これらにより、室外機において、圧縮機（21）等の振動に起因する天板（43）と上端部（92）との直接的な接触による接触音（ビビリ音）の発生を防止しつつ、電動機（17）の振動に起因する天板（43）の振動を確実に防止することができる。
【００２２】
上記第２の発明によれば、第１隙間（101）における締結部（98）側に弾性部材（100）を設けたため、電動機（17）の振動を上端部（92）から締結部（98）による拘束点から、振動しにくい天板（43）の一端側に伝えることができる。これにより、天板（43）の振動を抑えることができる。
【００２３】
上記第３の発明によれば、第２隙間（103）を設けたため、熱交換器（23）と上端部（92）とを電気的に非接触にすることができる。このため、熱交換器（23）がガルバニック腐食（電食）するのを防止することができる。
【００２４】
一方で、電動機（17）の振動は、弾性部材（100）を介して天板（43）の一端側に伝わるため、天板（43）の振動を抑えることができる。
【図面の簡単な説明】
【００２５】
【図１】本実施形態に係る冷媒回路を示す配管系統図である。
【図２】本実施形態に係る室外機の外観を示す斜視図である。
【図３】本実施形態に係る室外機であって、天板を外した状態を示す模式的な平面図である。
【図４】本実施形態に係る室外機の内部構造を示す図である。
【図５】本実施形態に係るモータ台を正面から視た図である。
【図６】本実施形態に係るモータ台を側面から視た図である。
【図７】本実施形態に係るモータ台と天板とを拡大して示す図である。
【図８】本実施形態に係るモータ台を上方から視た平面図である。
【図９】本実施形態に係る室外機の一部であって、底板と室外熱交換器を示す斜視図である。
【図１０】本実施形態に係る室外熱交換器を示す図である。
【図１１】図１０のＸＩ−ＸＩ断面図である。
【発明を実施するための形態】
【００２６】
以下、本発明の実施形態を図面に基づいて詳細に説明する。
【００２７】
以下では、まず空調機（10）について説明し、その後に、室外機（11）と室外熱交換器（23）についてそれぞれ詳細に説明する。
【００２８】
〈空調機の全体構成〉
図１に示すように、空調機（10）は、室外機（11）と室内機（12）とを備えている。室外機（11）と室内機（12）とは、液側連絡配管（13）およびガス側連絡配管（14）を介して接続されている。そして、室外機（11）と室内機（12）と液側連絡配管（13）とガス側連絡配管（14）とによって冷媒回路（20）が形成されている。
【００２９】
冷媒回路（20）は、圧縮機（21）、四方切換弁（22）、室外熱交換器（23）、膨張弁（24）、室内熱交換器（25）、及びアキュームレータ（26）を備えている。上記圧縮機（21）、四方切換弁（22）、室外熱交換器（23）、膨張弁（24）及びアキュームレータ（26）は、室外機（11）に収容されている。室外機（11）には、室外熱交換器（23）へ室外空気を供給する室外ファン（15）が設けられている。一方、室内熱交換器（25）は、室内機（12）に収容されている。室内機（12）には、室内熱交換器（25）へ室内空気を供給する室内ファン（16）が設けられている。尚、上記室外ファン（15）は、本発明に係る送風ファンを構成している。
【００３０】
圧縮機（21）は、その吐出側が四方切換弁（22）の第１のポートに、その吸入側がアキュームレータ（26）を介して四方切換弁（22）の第２のポートに、それぞれ接続されている。また、冷媒回路（20）において、四方切換弁（22）の第３のポートから第４のポートへ向かって順に、室外熱交換器（23）、膨張弁（24）、及び室内熱交換器（25）が配置されている。
【００３１】
圧縮機（21）は、スクロール型またはロータリ型の全密閉型圧縮機である。四方切換弁（22）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。膨張弁（24）は、いわゆる電子膨張弁である。
【００３２】
室外熱交換器（23）は、室外空気を冷媒と熱交換させる。室外熱交換器（23）については後述する。一方、室内熱交換器（25）は、室内空気を冷媒と熱交換させる。室内熱交換器（25）は、円管である伝熱管を備えたいわゆるクロスフィン型のフィン・アンド・チューブ熱交換器によって構成されている。
【００３３】
アキュームレータ（26）は、冷媒を気液分離して、ガス冷媒のみを圧縮機（21）へ吸入させる。
【００３４】
〈室外機の構成〉
次に、上記室外機（11）について、図２及び図３を参照しながら説明する。尚、ここでの説明で用いる「上」「下」「左」「右」「前」「後」は、特にことわらない限り、上記室外機（11）を正面側から見た場合の方向を意味している。
【００３５】
室外機（11）は、ケーシング（40）を備えている。このケーシング（40）は、縦長で略直方体状に形成された鋼板製の箱体である。このケーシング（40）は、底板（41）と、その底板（41）上に立設された前側板（42a）、左側板（42b）、後側板（42c）及び右側板（42d）とを有し、左右の方向が長手方向となっている。ケーシング（40）には、各側板（42a〜42d）の上端に天板（43）が取り付けられる。つまり、天板（43）は、ケーシング（40）上部の外周端に取付支持されている。天板（43）は、略長方形状の鋼板に形成されている。天板（43）には、後述するモータ台（90）の上端部（92）と締結される取付部（43a）が形成されている。
【００３６】
ケーシング（40）の内部には、前側板（42a）から後方に向かって（短手方向に）平面視円弧状に延びる仕切板（44）が立設されている。ケーシング（40）の内部空間は、この仕切板（44）によって、左側の送風機室（S1）と右側の機械室（S2）とに仕切られている。送風機室（S1）には、室外熱交換器（23）と、室外ファン（15）と、室外ファン（15）を回転駆動させるファンモータ（17）と、該ファンモータ（17）を担持するモータ台（90）とが収容されている。具体的に、送風機室（S1）内には、前側から後側に向かって室外ファン（15）、ファンモータ（17）、モータ台（90）および室外熱交換器（23）の順に配置されている。尚、上記ファンモータ（17）は、本発明に係る電動機を構成し、モータ台（90）は、本発明に係る電動機台を構成している。
【００３７】
一方、機械室（S2）には、圧縮機（21）と、四方切換弁（22）（図３では図示省略）と、膨張弁（24）（図３では図示省略）と、アキュームレータ（26）とが収容されている。
【００３８】
ケーシング（40）の後側板（42c）には、送風機室（S1）側に後側吸入口（45a）が開口し、左側板（42b）には、左側吸入口（45b）が開口している。これら２つの吸入口（45a,45b）は、送風機室（S1）内へ空気（室外空気）を吸い込むためのものである。
【００３９】
ケーシング（40）の前側板（42a）には、送風機室（S1）側に吹出口（46）が開口している。この吹出口（46）は、送風機室（S1）内から外部へ空気（室外空気）を吹き出すためのものである。この吹出口（46）には、ファングリル（47）が嵌め込まれている。
【００４０】
図３〜図８に示すように、モータ台（90）は、室外ファン（15）のファンモータ（17）を支持する台である。このモータ台（90）は、送風機室（S1）の内部の室外熱交換器（23）と、室外ファン（15）との間に立設している。モータ台（90）は、ケーシング（40）の底板（41）および天板（43）に対して取り付けられる。そして、モータ台（90）は、下端部（95）と、モータ台本体（91）と、上端部（92）とを備えている。
【００４１】
下端部（95）は、モータ台（90）の下部分を構成する部材である。下端部（95）は、鋼板製の略平板状に形成され、ケーシング（40）の底板（41）に沿って延びている。下端部（95）は、モータ台本体（91）の下端から該モータ台本体（91）の直交方向に延びている。そして、下端部（95）は、モータ台本体（91）の側部に対してビス（96）によって締結されている。また、下端部（95）は、底板（41）に対して取り付けられている。こうすることで、モータ台（90）がケーシング（40）に対して固定される。
【００４２】
モータ台本体（91）は、モータ台（90）の本体を構成する部材であって、本発明に係る台本体を構成している。モータ台本体（91）は、鋼板製の略平板状に形成され、送風機室（S1）内において室外熱交換器（23）と離間して配置され、底板（41）から天板（43）の略中心部に向かって上下方向に延びている。モータ台本体（91）の高さ方向の中心部には、ファンモータ（17）を支持するためのファン取付部（97）が形成されている。このファン取付部（97）に対してファンモータ（17）が取り付けられることで、ファンモータ（17）がモータ台（90）に担持される。モータ台本体（91）には、その下端に下端部（95）が取り付けられ、その上端に上端部（92）が取り付けられる。
【００４３】
上端部（92）は、モータ台（90）の上部分を構成する部材である。上端部（92）は、鋼板製の略平板状に形成されている。上端部（92）は、モータ台本体（91）の上端から折れ曲がり、天板（43）に沿って水平に該天板（43）の外側端に向かって延びている。上端部（92）は、その上面が天板（43）の内側面と第１隙間（101）を有して対向し、その下面が室外熱交換器（23）の上端面と第２隙間（103）を有して対向するように配置されている。上端部（92）は、その基端がモータ台本体（91）に対してビス（94）によって固定されている。
【００４４】
また、上端部（92）には、その外側端から下方に折れ曲がって延びる取付片（93）が形成されている。この取付片（93）は、室外熱交換器（23）と所定の間隔を有するように形成されている。取付片（93）は、締結ビス（98）によって天板（43）の取付部（43a）に締結されている。こうすることで、モータ台（90）が天板（43）に対して取り付けられる。尚、上記締結ビス（98）は、本発明の締結部を構成している。
【００４５】
次に、上端部（92）と室外熱交換器（23）との間の構成について説明し、その後に、上端部（92）と天板（43）との間の構成について説明する。
【００４６】
上端部（92）の下面と室外熱交換器（23）の上端部との間には、第２隙間（103）と、第２シール材（102）が介在している。具体的に、第２隙間（103）は、上端部（92）の下面と室外熱交換器（23）の上端面との間に形成されている。第２隙間（103）には、第２シール材（102）が配置されている。第２シール材（102）は、断面視で略コの字形状のシール部材に形成されている。第２シール材（102）は、室外熱交換器（23）の上端部を覆うように取り付けられている。第２シール材（102）は、室外熱交換器（23）からの水の漏れを防止している。
【００４７】
室外熱交換器（23）は、各構成部材がアルミニウム製であるため、鋼板で構成される上端部（92）を直接接触させると、イオン化傾向の異なる金属である鉄とアルミニウムが接触することになり、イオン化傾向の高い室外熱交換器（23）のガルバニック腐食（電食）が促進されてしまう。このため、室外熱交換器（23）と上端部（92）との間に第２隙間（103）を設けることで、両者が直接電気的に接触するのを防止している。
【００４８】
上端部（92）と天板（43）との間には、第１隙間（101）が形成されている。第１隙間（101）は、上端部（92）の上面と天板（43）の内側面との間に形成された空隙である。第１隙間（101）には、天板（43）の外側端側のみに第１シール材（100）が介在している。上端部（92）と天板（43）とは、中実積層部（104）と中空積層部（105）とを構成している。
【００４９】
中実積層部（104）は、天板（43）の外側端側に位置し、上端部（92）と第１シール材（100）と天板（43）とを積層させて構成されている。
【００５０】
中空積層部（105）は、天板（43）の内側（天板（43）の外側端とは反対側）に位置し、上端部（92）と第１隙間（101）の一部（第１隙間（101）において第１シール材（100）の設けられていない部分）と天板（43）とを積層させて構成されている。
【００５１】
第１シール材（100）は、平面視で略コの字形状のシール部材に形成されている。第１シール材（100）は、モータ台（90）の上端部（92）の上面における天板（43）の外側端側に配置され、上端部（92）の上面と天板（43）の内側面との間に介在している。第１シール材（100）は、その厚みが約１ｍｍ程度に形成されている。
【００５２】
本実施形態では、上端部（92）の上面の長手方向の概ね半分を占める領域に中実積層部（104）が設けられ、且つ上端部（92）の上面の長手方向の残り概ね半分の領域に中空積層部（105）が形成されている。
【００５３】
〈室外熱交換器の構成〉
次に、上記室外熱交換器（23）について、図３および図９〜図１１を参照しながら説明する。
【００５４】
図３及び図９に示すように、室外熱交換器（23）は、平面視略L字状に形成され、送風機室（S1）内において、２つの吸入口（45a,45b）に対向するように設置されている。
【００５５】
図１０に示すように、室外熱交換器（23）は、第１ヘッダ集合管（51）と、第２ヘッダ集合管（52）と、多数の扁平管（53）と、多数のフィン（55）とを備えている。第１ヘッダ集合管（51）、第２ヘッダ集合管（52）、扁平管（53）およびフィン（55）は、何れもアルミニウム製の部材であって、互いにロウ付けによって接合されている。
【００５６】
第１ヘッダ集合管（51）と第２ヘッダ集合管（52）は、何れも両端が閉塞された細長い円筒状に形成されている。図３に示すように、送風機室（S1）内において、第１ヘッダ集合管（51）は、後側板（42c）と仕切板（44）との間に立設され、第２ヘッダ集合管（52）は、前側板（42a）と左側板（42b）との角部に立設されている。
【００５７】
図１１に示すように、扁平管（53）は、その断面形状が扁平な長円形となった伝熱管であり、内部には一列に並設された複数の流体通路（54）が形成されている。図１０に示すように、複数の扁平管（53）は、それぞれの平坦な側面が対向する状態で、互いに一定の間隔をおいて上下方向に配列され、互いに実質的に平行となっている。
【００５８】
図３及び図９に示すように、扁平管（53）は、平面視略Ｌ字状に形成され、図３において左右方向（長手方向）に伸長する長辺部（53a）と、図３において前後方向（短手方向）に伸長する短辺部（53b）とを有している。扁平管（53）の長辺部（53a）は、後側吸入口（45a）に対向し、その端部が第１ヘッダ集合管（51）へ差し込まれ、その内部の複数の流体通路（54）が第１ヘッダ集合管（51）の内部空間に連通している。一方、扁平管（53）の短辺部（53b）は、左側吸入口（45b）に対向し、その端部が第２ヘッダ集合管（52）へ差し込まれ、その内部の複数の流体通路（54）が第２ヘッダ集合管（52）の内部空間に連通している。
【００５９】
図１０及び図１１に示すように、フィン（55）は、金属板をプレス加工することによって形成された縦長の板状フィンである。これら複数のフィン（55）は、互いに一定の間隔をおいて、扁平管（53）の伸長方向に配列され、隣接するフィン（55）の間に通風路（58）が形成されている。この通風路（58）を空気（室外空気）が吸入口（45a,45b）側から送風機室（S1）側へ通過するように構成されている。このフィン（55）には、風上側である吸入口（45a,45b）側に、切り欠き部（56）が上下方向に一定の間隔で形成されている。そして、各切り欠き部（56）の風下寄りの部分に、扁平管（53）が挿入されている。
【００６０】
図１０に示すように、室外熱交換器（23）は、上側の主熱交換領域（61）と下側の補助熱交換領域（62）とに区分され、さらに各熱交換領域（61,62）が上下に三つずつの熱交換部（61a〜61c,62a〜62c）に区分されている。具体的に、主熱交換領域（61）には、下から上に向かって順に、第１主熱交換部（61a）と、第２主熱交換部（61b）と、第３主熱交換部（61c）とが形成されている。補助熱交換領域（62）には、下から上に向かって順に、第１補助熱交換部（62a）と、第２補助熱交換部（62b）と、第３補助熱交換部（62c）とが形成されている。各主熱交換部（61a〜61c）を構成する扁平管（53）の本数は、各補助熱交換部（62a〜62c）を構成する扁平管（53）の本数よりも多くなっている。
【００６１】
第１ヘッダ集合管（51）の内部空間は、仕切板（51a）によって、上側空間（71）と下側空間（72）とに仕切られている。上側空間（71）は、主熱交換領域（61）を構成する全ての扁平管（53）と連通し、下側空間（72）は、補助熱交換領域（62）を構成する全ての扁平管（53）と連通している。また、第１ヘッダ集合管（51）には、ガス側接続管（75）と液側接続管（76）とが接続されている。ガス側接続管（75）は、一端が第１ヘッダ集合管（51）の上部に接続されて上側空間（71）に連通し、他端が四方切換弁（22）の第３のポートに接続されている。液側接続管（76）は、一端が第１ヘッダ集合管（51）の下部に接続されて下側空間（72）に連通し、他端が膨張弁（24）に接続されている。
【００６２】
第２ヘッダ集合管（52）の内部空間は、主熱交換領域（61）に対応した主連通空間（81）と、補助熱交換領域（62）に対応した補助連通空間（82）とに区分されている。主連通空間（81）は、二枚の仕切板（52a）によって、下から上に向かって順に、第１部分空間（81a）、第２部分空間（81b）及び第３部分空間（81c）に仕切られている。各部分空間（81a〜81c）は、各主熱交換部（61a〜61c）を構成する全ての扁平管（53）と連通している。
【００６３】
補助連通空間（82）は、二枚の仕切板（52b）によって、下から上に向かって順に、第４部分空間（82a）、第５部分空間（82b）及び第６部分空間（82c）に仕切られている。各部分空間（82a〜82c）は、各補助熱交換部（62a〜62c）を構成する全ての扁平管（53）と連通している。
【００６４】
第２ヘッダ集合管（52）には、二本の連絡配管（85,86）が取り付けられている。第１連絡配管（85）は、その一端が第２部分空間（81b）に接続され、その他端が第５部分空間（82b）に接続される。第２連絡配管（86）は、その一端が第３部分空間（81c）に接続され、その他端が第４部分空間（82a）に接続される。また、第２ヘッダ集合管（52）では、第１部分空間（81a）と第６部分空間（82c）とが、互いに連続した一つの空間を形成している。
【００６５】
図９に示すように、室外熱交換器（23）は、ケーシング（40）の底板（41）に配置された３つのゴム部材（31〜33）によって下から支持され、さらに、各ヘッダ集合管（51,52）に２つずつ設けられた取付部材（57）によってケーシング（40）の各側板（42b,42c）に固定されている。
【００６６】
ゴム部材（31〜33）は、絶縁性のゴム材料によって形成され、室外熱交換器（23）を防振すると共に、ヘッダ集合管（51,52）とケーシング（40）の底板（41）との間を絶縁している。
【００６７】
取付部材（57）は、ヘッダ集合管（51,52）に固定されるブラケット（図示省略）と、側板（42b,42c）に固定される取付板（図示省略）と、絶縁性の樹脂カバー（図示省略）とを有し、樹脂カバーの内部でブラケットと取付板との間を絶縁している。
【００６８】
このように、室外熱交換器（23）は、ゴム部材（31〜33）と取付部材（57）とによって、ヘッダ集合管（51,52）とケーシング（40）との電気的な接触を回避し、ヘッダ集合管（51,52）の腐食（電食）を防止している。
【００６９】
−空調機の運転動作−
空調機（10）は、冷房運転と暖房運転を選択的に行う。
【００７０】
冷房運転中の冷媒回路（20）では、四方切換弁（22）を第１状態に設定した状態で、冷凍サイクルが行われる。この状態では、室外熱交換器（23）、膨張弁（24）、室内熱交換器（25）、アキュームレータ（26）の順に冷媒が循環し、室外熱交換器（23）が凝縮器として機能し、室内熱交換器（25）が蒸発器として機能する。室外熱交換器（23）では、圧縮機（21）から流入したガス冷媒が室外空気へ放熱して凝縮し、凝縮後の冷媒が膨張弁（24）へ向けて流出してゆく。
【００７１】
暖房運転中の冷媒回路（20）では、四方切換弁（22）を第２状態に設定した状態で、冷凍サイクルが行われる。この状態では、室内熱交換器（25）、膨張弁（24）、室外熱交換器（23）、アキュームレータ（26）の順に冷媒が循環し、室内熱交換器（25）が凝縮器として機能し、室外熱交換器（23）が蒸発器として機能する。室外熱交換器（23）には、膨張弁（24）を通過する際に膨張して気液二相状態となった冷媒が流入する。室外熱交換器（23）へ流入した冷媒は、室外空気から吸熱して蒸発し、その後に圧縮機（21）へ向けて流出してゆく。
【００７２】
−ケーシングの振動−
空調機（10）の運転が開始すると、圧縮機（21）が駆動し、この駆動による振動がケーシング（40）全体に伝わる。このとき、上端部（92）と天板（43）との間には、第１シール材（100）が設けられているから、上端部（92）と天板（43）とが直接接触することはない。したがって、圧縮機（21）に起因する振動が発生しても、上端部（92）と天板（43）とが直接接触することで発生する接触音（ビビリ音）を抑えることができる。
【００７３】
また、ファンモータ（17）が駆動すると室外ファン（15）が回転する。ファンモータ（17）の駆動に起因する振動は、モータ台（90）に伝わるが、室外熱交換器（23）の上端部と上端部（92）との間に第２隙間（103）が形成されているため、室外熱交換器（23）には伝搬しにくい。一方、ファンモータ（17）の駆動に起因する振動は、モータ台（90）に伝わり、第１シール材（100）および締結ビス（98）の周辺を介して天板（43）まで伝わる。
【００７４】
具体的に、天板（43）の外端側には、上端部（92）と第１シール材（100）と天板（43）とで中実積層部（104）が構成されている。つまり、上端部（92）と天板（43）との間のうち、振動しにくい天板（43）の外端側に第１シール材（100）が設けられている。このため、ファンモータ（17）の振動は、第１シール材（100）を介して天板（43）の外端側に伝わるため、天板（43）の振動は抑えられる。
【００７５】
また、振動しやすい天板（43）の外端側の反対側（モータ台本体（91）側）には、上端部（92）と第１隙間（101）の一部と天板（43）とで中空積層部（105）が構成されている。つまり、上端部（92）と天板（43）との間のうち、振動しやすい天板（43）の外端側の反対側（モータ台本体（91）側）に第１隙間（101）の一部が形成されている。このため、ファンモータ（17）の振動が天板（43）へ伝わらないため、天板（43）が振動するのを抑えることができる。
【００７６】
モータ台（90）の上端部（92）は、取付片（93）と天板（43）の取付部（43a）とを締結ビス（98）によって締結されている。つまり、締結ビス（98）が上端部（92）と天板（43）とを拘束している。このため、締結ビス（98）による拘束点では、ファンモータ（17）の振動が伝わりやすくなっている。そして、第１隙間（101）における締結ビス（98）側に第１シール材（100）を設けている。したがって、上端部（92）と天板（43）との間のうち、振動しにくい天板（43）の一端側に締結ビス（98）による拘束点が形成されることになる。したがって、ファンモータ（17）の振動は、上端部（92）から締結ビス（98）による拘束点を介して天板（43）の一端側に伝わるため、天板（43）の振動は抑えられる。
【００７７】
アルミニウム材料で形成された室外熱交換器（23）と例えば鋼板からなる上端部（92）とが電気的に接触して固定されると、イオン化傾向の高い室外熱交換器（23）がガルバニック腐食（電食）する可能性があるが、第２隙間（103）によって室外熱交換器（23）と上端部（92）とが電気的に非接触となっている。このため、室外熱交換器（23）がガルバニック腐食（電食）することはない。
【００７８】
−実施形態の効果−
本実施形態によれば、振動しやすい天板（43）の外端側の反対側（モータ台本体（91）側）に上端部（92）と第１隙間（101）の一部と天板（43）からなる中空積層部（105）を形成し、振動しにくい天板（43）の外端側に上端部（92）と第１シール材（100）と天板（43）からなる中実積層部（104）を形成したため、ファンモータ（17）に起因する振動を第１シール材（100）を介して天板（43）の外端側のみに伝えることができる。このため、ファンモータ（17）の振動によって天板（43）が振動するのを確実に抑えることができる。
【００７９】
また、上端部（92）と天板（43）との間に第１シール材（100）を設けたため、上端部（92）と天板（43）とが直接接触するのを防止することができる。このため、圧縮機（21）などが振動しても、上端部（92）と天板（43）とが接触することで発生する接触音（ビビリ音）を抑えることができる。
【００８０】
これらにより、室外機（11）において、圧縮機（21）等の振動に起因する天板（43）と上端部（92）との直接的な接触による接触音（ビビリ音）の発生を防止しつつ、ファンモータ（17）の振動に起因する天板（43）の振動を確実に防止することができる。
【００８１】
また、第１隙間（101）における締結ビス（98）側に第１シール材（100）を設けたため、ファンモータ（17）の振動を上端部（92）から締結ビス（98）による拘束点から、振動しにくい天板（43）の外端側に伝えることができる。これにより、天板（43）の振動を抑えることができる。
【００８２】
さらに、第２隙間（103）を設けたため、室外熱交換器（23）と上端部（92）とを電気的に非接触にすることができる。このため、室外熱交換器（23）がガルバニック腐食（電食）するのを防止することができる。
【００８３】
一方で、ファンモータ（17）の振動は、第１シール材（100）を介して天板（43）の外端側に伝わるため、天板（43）の振動を抑えることができる。
【００８４】
〈その他の実施形態〉
本発明は、上記実施形態について、以下のような構成としてもよい。
【００８５】
上記実施形態では、第１シール材（100）を上端部（92）の長手方向の上面の略半分の領域を覆うように配置し、且つ上端部（92）の上面の残りの半分の領域に第１隙間（101）を形成したが、本発明はこれに限られず、圧縮機（21）の振動に起因する天板（43）と上端部（92）との直接的な接触による接触音（ビビリ音）の発生を防止しつつ、ファンモータ（17）の振動に起因する天板（43）の振動を確実に防止することができるような構成であればよい。
【００８６】
また、上記実施形態では、天板（43）とモータ台（90）の上端部（92）とを締結するようにしたが、本発明はこれに限られず、モータ台（90）の上端部（92）とケーシング（40）とを締結するようにしてもよい。
【００８７】
尚、以上の実施形態は、本質的に好ましい例示であって、本発明、その適用物、あるいはその用途の範囲を制限することを意図するものではない。
【産業上の利用可能性】
【００８８】
以上説明したように、本発明は、空調機の室外機について有用である。
【符号の説明】
【００８９】
１５          室外ファン
１７          ファンモータ
２１          圧縮機
２３          空気熱交換器
４０          ケーシング
４３          天板
５３          扁平管
５４          流体通路
５５          フィン
９０          モータ台
９１          モータ台本体
９２          上端部
９８          締結ビス
１００        第１シール材
１０１        第１隙間
１０３        第２隙間
１０４        中実積層部
１０５        中空積層部
【図１】
0005720621.tif 000002
【図２】
0005720621.tif 000003
【図３】
0005720621.tif 000004
【図４】
0005720621.tif 000005
【図５】
0005720621.tif 000006
【図６】
0005720621.tif 000007
【図７】
0005720621.tif 000008
【図８】
0005720621.tif 000009
【図９】
0005720621.tif 000010
【図１０】
0005720621.tif 000011
【図１１】
0005720621.tif 000012